(57)【要約】【課題】入力部から出力接点への配線の引き回しを容易した上で、入力部の構造に簡単にし、信号供給部と迅速に接続する。【解決手段】第１ＦＰＣ５２の第１基板５４の他方の面５４ｂに第２ＦＰＣ５３の第２基板５５の一方の面５５ａが対向するように重ねられると、第２基板５５の一方の面５５ａに形成された第２出力バンプ６１は、第１基板５４に形成された貫通孔６６から第１基板５４の一方の面５４ａ側に露出している。また、第２基板５５の第２ドライバＩＣ５１ｂと第２入力部５７は、第１基板５４に形成された切り欠き６７から第１基板５４の一方の面５４ａ側に露出している。そして、第１基板５４に形成された第１入力部５６と、第２基板５５に形成された第２入力部５７は、同一面内において隙間なく走査方向に一列に並んでいる。【選択図】  図６
2011216599.tif 000002
【特許請求の範囲】
【請求項１】
駆動対象に信号を供給するための第１配線基板と第２配線基板とを備えており、これらが積層された配線基板ユニットであって、
前記第１配線基板の縁部に形成された複数の入力端子からなり、信号供給部と接続される第１入力部と、
前記第２配線基板の縁部に形成された複数の入力端子からなり、前記信号供給部と接続される第２入力部と、
前記第１配線基板の一方の面に形成されるとともに、前記第１入力部と導通する第１出力接点と、
前記第２配線基板の一方の面に形成されるとともに、前記第２入力部と導通する第２出力接点と、を備えており、
前記第１配線基板と前記第２配線基板は、前記第１配線基板の他方の面と、前記第２配線基板の前記一方の面が対向するように積層されており、
前記第１配線基板には、前記第１配線基板の前記一方の面から前記第２配線基板に形成された前記複数の第２出力接点貫通孔に対応する貫通孔が形成されており、
前記貫通孔は、前記第２配線基板と前記駆動対象を導通させることが可能なように構成されており、
前記第１配線基板の縁部の前記第１入力部と隣り合う位置、または、前記第２配線基板の縁部の前記第２入力部と隣り合う位置のいずれか一方には、切り欠きが形成されており、
前記第１配線基板の前記第１入力部と前記第２配線基板の前記第２入力部は、前記第１入力部と前記第２入力部のいずれか一方が前記切り欠きから露出して、一列に並んでいることを特徴とする配線基板ユニット。
【請求項２】
前記第１出力接点と一体的に形成された第１出力バンプと、
前記第２出力接点と一体的に形成された第２出力バンプと、をさらに備えていることを特徴とする請求項１に記載の配線基板ユニット。
【請求項３】
前記第１配線基板の前記一方の面には、前記第１入力部から入力された入力信号を受信して前記駆動対象に駆動信号を供給する第１駆動ＩＣが実装されており、
前記切り欠きは、前記第１配線基板の縁部の前記第１入力部と隣り合う位置に形成されており、
前記第２配線基板の前記一方の面の、前記第１配線基板に形成された前記切り欠きから露出した領域には、前記第２入力部から入力された入力信号を受信して前記駆動対象に駆動信号を供給する第２駆動ＩＣが実装されていることを特徴とする請求項１または２に記載の配線基板ユニット。
【請求項４】
前記第１入力部に属し、端の位置にある第１入力端子と、前記第２入力部に属し、端の位置にあり、且つ、前記第１入力端子と隣接する第２入力端子は、両方ともに電源入力端子またはグランド入力端子であることを特徴とする請求項３に記載の配線基板ユニット。
【請求項５】
前記第１駆動ＩＣと前記第２駆動ＩＣは、前記第１出力接点と前記第２出力接点の配置領域に対して、一方向において隣接した領域に配置されており、前記一方向と直交する方向に並べられていることを特徴とする請求項３または４に記載の配線基板ユニット。
【請求項６】
駆動対象に信号を供給するための第１配線基板と第２配線基板とを備えており、これらが積層された配線基板ユニットであって、
前記第１配線基板の縁部に形成された複数の入力端子からなり、信号供給部と接続される第１入力部と、
前記第２配線基板の縁部に形成された複数の入力端子からなり、前記信号供給部と接続される第２入力部と、
前記第１配線基板の一方の面に形成されるとともに、前記駆動対象に接続され、前記第１入力部と前記第２入力部から入力された信号を前記駆動対象に供給する複数の出力接点と、を備えており、
前記第１配線基板と前記第２配線基板は、前記第１配線基板の他方の面と、前記第２配線基板の前記一方の面が対向するように積層されており、
前記第１配線基板には、他方の面に形成され、平面視で前記複数の出力接点の一部と重なり、これらの出力接点とそれぞれスルーホールを介して接続された第１接続接点が形成されており、
前記第２配線基板には、前記一方の面に形成され、前記第１接続接点と接続される第２接続接点が形成されており、
前記第１配線基板の縁部の前記第１入力部と隣り合う位置、及び、前記第２配線基板の縁部の前記第２入力部と隣り合う位置のいずれか一方には、切り欠きが形成されており、
前記第１配線基板の前記第１入力部と前記第２配線基板の前記第２入力部は、前記第１入力部と前記第２入力部のいずれか一方が前記切り欠きから露出して、一列に並んでいることを特徴とする配線基板ユニット。
【発明の詳細な説明】
【技術分野】
【０００１】
本発明は、駆動対象に信号を供給するための配線基板ユニットに関する。
【背景技術】
【０００２】
従来から、各種装置に接続されて信号を供給する配線ユニットがある。例えば、記録用紙などの被記録媒体に画像や文字などを記録する、多数の記録素子を備えた記録装置の分野においては、高速印刷及び高解像度印刷の要求に応えるため、近年、記録素子の数が増大し、記録素子が高密度に密集する傾向にある。すると、記録素子の増加にともなって、記録素子に接続された素子側接点に接続される配線基板の基板側接点も増加して、高密度に密集することになり、入力部から複数の基板側接点への配線の引き回しが複雑になっていた。
【０００３】
そこで、配線の引き回しを容易にする構成として、特許文献１に記載のインクジェットヘッドの圧電式アクチュエータに接続される配線体は、配線基板が２枚重ねて積層されており、圧電式アクチュエータの複数の素子側接点に対応する複数の基板側接点と、入力部と、入力部から複数の基板側接点へつながる配線とを２枚の配線基板に分けて形成している。そして、圧電式アクチュエータと対向する一方の配線基板には、他方の配線基板に形成された基板側接点と対向する位置に貫通孔が形成されており、その貫通孔から他方の配線基板に形成された基板側接点が圧電式アクチュエータ側に露出している。このように、複数の基板側接点と入力部が２枚の配線基板に分けて配置されることで、入力部から複数の基板側接点への配線の引き回しを容易にしている。
【０００４】
【特許文献１】特開２００９−４４１９号公報（図６）
【発明の概要】
【発明が解決しようとする課題】
【０００５】
しかしながら、特許文献１に記載の配線体においては、２枚の配線基板にそれぞれ配置された２つの入力部は、２枚の配線基板の積層方向にずれた位置にある。すると、２つの入力部に接続される信号供給部も積層方向にずらして２つ必要となり、それにともない、２つの入力部に対してそれぞれ信号供給部を接続する必要があった。
【０００６】
そこで、本発明の目的は、入力部から出力接点への配線の引き回しを容易した上で、入力部の構造に簡単にし、信号供給部と迅速に接続することができる配線基板ユニットを提供することである。
【課題を解決するための手段】
【０００７】
本発明の配線基板ユニットは、駆動対象に信号を供給するための第１配線基板と第２配線基板とを備えており、これらが積層された配線基板ユニットであって、前記第１配線基板の縁部に形成された複数の入力端子からなり、信号供給部と接続される第１入力部と、前記第２配線基板の縁部に形成された複数の入力端子からなり、前記信号供給部と接続される第２入力部と、前記第１配線基板の一方の面に形成されるとともに、前記第１入力部と導通する第１出力接点と、前記第２配線基板の一方の面に形成されるとともに、前記第２入力部と導通する第２出力接点と、を備えており、前記第１配線基板と前記第２配線基板は、前記第１配線基板の他方の面と、前記第２配線基板の前記一方の面が対向するように積層されており、前記第１配線基板には、前記第１配線基板の前記一方の面から前記第２配線基板に形成された前記複数の第２出力接点に対応する貫通孔が形成されており、前記貫通孔は、前記第２配線基板と前記駆動対象を導通させることが可能なように構成されており、前記第１配線基板の縁部の前記第１入力部と隣り合う位置、または、前記第２配線基板の縁部の前記第２入力部と隣り合う位置のいずれか一方には、切り欠きが形成されており、前記第１配線基板の前記第１入力部と前記第２配線基板の前記第２入力部は、前記第１入力部と前記第２入力部のいずれか一方が前記切り欠きから露出して、一列に並んでいる。
【０００８】
本発明の配線基板ユニットによると、第１入力部から第１出力接点に接続される配線と第２入力部から第２出力接点に接続される配線を、第１配線基板と第２配線基板にわけて引き回すことが可能になる。したがって、１基板当たりの配線数が少なくなり、入力部から出力接点への配線の引き回しを容易にすることができる。
【０００９】
また、第１配線基板の第１入力部と第２配線基板の第２入力部は、第１配線基板と第２配線基板のいずれか一方に形成された切り欠きからいずれか一方の入力部が露出して、他方の入力部と１列に並んでいるため、２つの入力部をひとまとまりとみなして、１つの信号供給部と接続できる。したがって、入力部の構造に簡単にすることができ、各入力部を信号供給部と迅速に接続することができる。なお、本発明において、第１入力部と第２入力部が１列に並んでいるとは、第１入力部と第２入力部が隙間なく１列に並んでいる場合や、第１入力部と第２入力部が隙間をあけて１列に並んでいる場合を含んでいる。
【００１０】
また、前記第１出力接点と一体的に形成された第１出力バンプと、前記第２出力接点と一体的に形成された第２出力バンプと、をさらに備えていることが好ましい。これによると、第１配線基板と第２配線基板とを重ねてから、駆動対象に接続するような場合において、第１配線基板と第２配線基板を重ねるときに、第２出力バンプが貫通孔の位置決めとして作用するため、比較的簡単に、第１配線基板と第２配線基板とを重ねることができる。
【００１１】
また、前記第１配線基板の前記一方の面には、前記第１入力部から入力された入力信号を受信して前記駆動対象に駆動信号を供給する第１駆動ＩＣが実装されており、前記切り欠きは、前記第１配線基板の縁部の前記第１入力部と隣り合う位置に形成されており、前記第２配線基板の前記一方の面の、前記第１配線基板に形成された前記切り欠きから露出した領域には、前記第２入力部から入力された入力信号を受信して前記駆動対象に駆動信号を供給する第２駆動ＩＣが実装されていることが好ましい。これによると、第２駆動ＩＣが第１配線基板と第２配線基板の間に介在することがないため、第１配線基板と第２配線基板の積層方向に関する間隔を狭くすることができる。
【００１２】
さらに、前記第１入力部に属し、端の位置にある第１入力端子と、前記第２入力部に属し、端の位置にあり、且つ、前記第１入力端子と隣接する第２入力端子は、両方ともに電源入力端子またはグランド入力端子であることが好ましい。これによると、隣接する第１入力端子と第２入力端子を、電源入力端子またはグランド入力端子にしているため、第１配線基板と第２配線基板を重ねたときに、隣接する第１入力端子と第２入力端子が重なってショートしても問題ない。
【００１３】
加えて、前記第１駆動ＩＣと前記第２駆動ＩＣは、前記複数の第１出力バンプと前記複数の第２出力バンプの配置領域に対して、一方向において隣接した領域に配置されており、前記一方向と直交する方向に並べられていることが好ましい。第１配線基板に形成された配線と第２配線基板に形成された配線に電流が流れると、その周囲に磁場が発生する。このとき、仮に、第１駆動ＩＣと第２駆動ＩＣが複数の出力バンプの配置領域に対して、一方向において隣接した領域に一方向に並べて配置されていると、第１配線基板に形成され、第１駆動ＩＣから引き回された配線と、第２配線基板に形成され、第１駆動ＩＣから引き回された配線とで一方向に沿って平行になっている部分が多くなってしまい、この部分でクロストークが生じやすい。そこで、第１駆動ＩＣと第２駆動ＩＣを一方向と直交する方向に並べて配置することで、第１配線基板に形成され、第１駆動ＩＣから引き回された配線と、第２配線基板に形成され、第１駆動ＩＣから引き回された配線とにおいて一方向に沿って平行になっている部分が減り、クロストークを低減させることができる。
【００１４】
一方、別の観点では、本発明の配線基板ユニットは、駆動対象に信号を供給するための第１配線基板と第２配線基板とを備えており、これらが積層された配線基板ユニットであって、前記第１配線基板の縁部に形成された複数の入力端子からなり、信号供給部と接続される第１入力部と、前記第２配線基板の縁部に形成された複数の入力端子からなり、前記信号供給部と接続される第２入力部と、前記第１配線基板の一方の面に形成されるとともに、前記駆動対象に接続され、前記第１入力部と前記第２入力部から入力された信号を前記駆動対象に供給する複数の出力接点と、を備えており、前記第１配線基板と前記第２配線基板は、前記第１配線基板の他方の面と、前記第２配線基板の前記一方の面が対向するように積層されており、前記第１配線基板には、他方の面に形成され、平面視で前記複数の出力接点の一部と重なり、これらの出力接点とそれぞれスルーホールを介して接続された第１接続接点が形成されており、前記第２配線基板には、前記一方の面に形成され、前記第１接続接点と接続される第２接続接点が形成されており、前記第１配線基板の縁部の前記第１入力部と隣り合う位置、及び、前記第２配線基板の縁部の前記第２入力部と隣り合う位置のいずれか一方には、切り欠きが形成されており、前記第１配線基板の前記第１入力部と前記第２配線基板の前記第２入力部は、前記第１入力部と前記第２入力部のいずれか一方が前記切り欠きから露出して、一列に並んでいる。
【００１５】
本発明の配線基板ユニットによると、第１入力部と第２入力部から複数の出力接点に接続される配線を、第１配線基板と第２配線基板にわけて引き回すことが可能になり、第２配線基板を引き回された配線は、第１接続接点と第２接続接点を介して出力接点に接続することができる。したがって、１基板当たりの配線数が少なくなり、入力部から出力接点への配線の引き回しを容易にすることができる。
【００１６】
また、第１配線基板の第１入力部と第２配線基板の第２入力部は、第１配線基板と第２配線基板のいずれか一方に形成された切り欠きからいずれか一方の入力部が露出して、他方の入力部と１列に並んでいるため、２つの入力部をひとまとまりとみなして、１つの信号供給部と接続できる。したがって、入力部の構造に簡単にすることができ、各入力部を信号供給部と迅速に接続することができる。なお、本発明においても、第１入力部と第２入力部が１列に並んでいるとは、第１入力部と第２入力部が隙間なく１列に並んでいる場合や、第１入力部と第２入力部が隙間をあけて１列に並んでいる場合を含んでいる。
【発明の効果】
【００１７】
第１入力部と第２入力部から複数の出力接点に接続される配線を、第１配線基板と第２配線基板にわけて引き回すことが可能になり、１基板当たりの配線数が少なく、入力部から出力接点への配線の引き回しを容易にすることができる。また、第１入力部と第２入力部を１列に並べていることで、２つの入力部をひとまとまりとみなして、１つの信号供給部と接続できる。したがって、入力部の構造に簡単にすることができ、各入力部を信号供給部と迅速に接続することができる。
【図面の簡単な説明】
【００１８】
【図１】本実施形態に係るプリンタの概略平面図である。
【図２】インクジェットヘッドの側面図である。
【図３】インクジェットヘッドの図２の矢視図である。
【図４】図３のＡ−Ａ線断面図である。
【図５】ＦＰＣユニットを下方から見た平面図である。
【図６】２枚のＦＰＣを下方から見たときの平面図であり、（ａ）は第１ＦＰＣであり、（ｂ）は第２ＦＰＣである。
【図７】ＦＰＣユニットの縦断面図であり、（ａ）は図５のＢ−Ｂ線断面図であり、（ｂ）は図５のＣ−Ｃ線断面図である。
【図８】変形例１について説明する図であり、（ａ）は変形例１におけるＦＰＣユニットを下方から見た平面図であり、（ｂ）はＤ−Ｄ線断面図である。
【図９】変形例２におけるＦＰＣユニットを下方から見た平面図である。
【図１０】変形例３におけるアクチュエータユニットに接続されたＦＰＣユニットの縦断面図である。
【発明を実施するための形態】
【００１９】
以下、本発明の好適な実施形態について説明する。本実施形態は、記録用紙に対してインクを噴射するインクジェットヘッドを有するインクジェットプリンタに本発明を適用した一例である。
【００２０】
まず、本実施形態のプリンタの概略構成について説明する。図１は、本実施形態に係るプリンタの概略構成図である。図１に示すように、プリンタ１は、所定の走査方向（図１の左右方向）に沿って往復移動可能に構成されたキャリッジ２と、このキャリッジ２に搭載されたインクジェットヘッド３と、記録用紙Ｐを走査方向と直交する紙送り方向に搬送する搬送機構４などを備えている。
【００２１】
キャリッジ２は、走査方向（図１の左右方向）に平行に延びる２本のガイド軸１７に沿って往復移動可能に構成されている。また、キャリッジ２には、無端ベルト１８が連結されており、キャリッジ駆動モータ１９によって無端ベルト１８が走行駆動されたときに、キャリッジ２は、無端ベルト１８の走行に伴って走査方向に移動するようになっている。
【００２２】
このキャリッジ２には、インクジェットヘッド３が搭載されている。インクジェットヘッド３は、その下面（図１の紙面向こう側の面）に複数のノズル３５（図４参照）を備えている。このインクジェットヘッド３は、搬送機構４により図１の下方（紙送り方向）に搬送される記録用紙Ｐに対して、図示しないインクカートリッジから供給されたインクを複数のノズル３５から噴射するように構成されている。
【００２３】
搬送機構４は、インクジェットヘッド３よりも搬送方向上流側に配置された給紙ローラ１２と、インクジェットヘッド３よりも搬送方向下流側に配置された排紙ローラ１３と、を有している。給紙ローラ１２と排紙ローラ１３は、それぞれ、給紙モータ１０と排紙モータ１１により回転駆動される。そして、この搬送機構４は、給紙ローラ１２により、記録用紙Ｐを図１の上方からインクジェットヘッド３へ搬送するとともに、排紙ローラ１３により、インクジェットヘッド３によって画像や文字などが記録された記録用紙Ｐを図１の下方へ排出する。
【００２４】
次に、インクジェットヘッド３について説明する。図２は、インクジェットヘッドの側面図である。図３は、インクジェットヘッドの図２の矢視図である。図４は、図３のＡ−Ａ線断面図である。なお、図３に示すインクジェットヘッドの平面図では、アクチュエータユニット３１の上方に配置されるＦＰＣユニット５０を２点鎖線で示している。図２〜図４に示すように、インクジェットヘッド３は、インク流路が形成された流路ユニット３０と、インク流路内のインクに噴射圧力を付与する圧電式のアクチュエータユニット３１（駆動対象）と、アクチュエータユニット３１の上面を覆うフレキシブル配線基板ユニット５０（ＦＰＣユニット）とを有している。
【００２５】
流路ユニット３０には、図示しない４つのインクカートリッジにそれぞれ接続される４つのインク供給口３２と、各インク供給口３２に接続され、走査方向と直交する図２の上下方向（紙送り方向）に沿って延びるマニホールド３３と、各マニホールド３３に連通した複数の圧力室３４と、複数の圧力室３４にそれぞれ連通する複数のノズル３５が形成されている。複数の圧力室３４は紙送り方向に延在するマニホールド３３に沿って配列されることで、１つの圧力室列８が構成されている。さらに、走査方向に関して隣接する２つの圧力室列８によって１つの圧力室群７が構成され、流路ユニット３０には、走査方向に並んだ合計５つの圧力室群７が設けられている。なお、５つの圧力室群７のうち、図２中右側に位置する２つの圧力室群７は、インク供給口３２からブラックインクが供給される、ブラック用の圧力室群７である。また、図２中左側に位置する３つの圧力室群７は、３つのインク供給口３２からそれぞれ３色のカラーインク（イエロー、マゼンタ、シアン）が供給される、カラー用の圧力室群７である。
【００２６】
複数の圧力室３４にそれぞれ連通する複数のノズル３５は、流路ユニット３０の下面に貫通している。また、これら複数のノズル３５も、複数の圧力室３４と同様に配列されており、図２中右側には、２つの圧力室群７にそれぞれ対応した、ブラックインクを噴射する２つのノズル群が配置され、図２中左側には、３つの圧力室群７にそれぞれ対応した、３色のカラーインク用を噴射する３つのノズル群が配置されている。
【００２７】
アクチュエータユニット３１は、複数の圧力室３４を覆うように流路ユニット３０に接合された振動板４０と、振動板４０の上面に配置された圧電層４１と、圧電層４１の上面に複数の圧力室３４と対応して設けられた複数の個別電極４２と、複数の個別電極４２の端部に形成された複数の入力接点４３ａ、４３ｂとを有している。そして、このアクチュエータユニット３１は、後述するＦＰＣユニット５０のドライバＩＣ５１から個別電極４２に所定の駆動信号が供給されたときに、圧電層４１に生じる圧電歪みを利用して、振動板４０に撓み変形を生じさせるようになっている。この振動板４０の撓み変形により圧力室３４の容積が変動することで、圧力室３４内のインクに圧力が付与され、圧力室３４に連通するノズル３５からインクが噴射される。複数の入力接点４３ａ、４３ｂは、複数のノズル３５に対応して紙送り方向に所定間隔をあけて並べて配置されているとともに、この列が走査方向に並べて配置されている。
【００２８】
次に、ＦＰＣユニット５０について説明する。図５は、ＦＰＣユニットを下方から見た平面図である。図６は、ＦＰＣユニットを構成する２枚のＦＰＣを下方から見たときの平面図であり、（ａ）は第１ＦＰＣであり、（ｂ）は第２ＦＰＣである。図７は、ＦＰＣユニットの縦断面図であり、（ａ）は図５のＢ−Ｂ線断面図であり、（ｂ）は図５のＣ−Ｃ線断面図である。なお、図５及び図６においては、各ＦＰＣのアクチュエータユニット３１との接合部分とドライバＩＣ５１の配置部分との間の紙送り方向に関する間隔を狭くして図示している。また、図５においては、第１ＦＰＣ５２と第２ＦＰＣ５３の第１入力部５６と第２入力部５７に接続されるＦＦＣ４９の信号供給部４９ａを２点鎖線で示している。また、図７（ｂ）については、配線の図示を省略している。
【００２９】
図２に示すように、複数の個別電極４２が配置されたアクチュエータユニット３１の上面には、一方向（紙送り方向）に長尺なＦＰＣユニット５０の中央部が接合されている。そして、ＦＰＣユニット５０の、アクチュエータユニット３１との接合部分を挟む両側部分はそれぞれ上方に折り返されており、その先端部はフレキシブルフラットケーブル４９（ＦＦＣ）の信号供給部４９ａ（図５参照）に接続されている。また、ＦＰＣユニット５０の両端部近傍にはドライバＩＣ５１がそれぞれ配置されている。これらドライバＩＣ５１の上面には、ヒートシンク４７が接触して配置されている。
【００３０】
ＦＰＣユニット５０は、第１ＦＰＣ５２と、第１ＦＰＣ５２と積層された第２ＦＰＣ５３とを有している。図６（ａ）に示すように、第１ＦＰＣ５２は、第１基板５４と、第１基板５４の紙送り方向両端の縁部にそれぞれ形成された複数の入力端子５８からなる２つの第１入力部５６と、第１基板５４の一方の面５４ａに形成された第１出力接点６２ａと、第１出力接点６２ａと一体的に接続された第１出力バンプ６０と、第１基板５４の一方の面５４ａにおいて、第１出力バンプ６０が形成された部分の紙送り方向の両側に配置された２つの第１ドライバＩＣ５１ａ（第１駆動ＩＣ）と、第１基板５４の一方の面５４ａに形成され、第１出力接点６２ａと第１ドライバＩＣ５１ａとを接続する第１配線６２と、第１基板５４の一方の面５４ａに形成され、第１ドライバＩＣ５１ａと第１入力部５６とを接続する第２配線６４と、厚み方向に貫通した貫通孔６６とを有している。第１出力バンプ６０は、アクチュエータユニット３１の入力接点４３ａに接続されており、第１出力接点６２ａと入力接点４３ａとを導通させる。そして、第１ＦＰＣ５２は、第１基板５４の一方の面５４ａがアクチュエータユニット３１の圧電層４１の上面と対向するように配置されている。
【００３１】
第１入力部５６は、紙送り方向に関する縁部の走査方向中央に形成された矩形状の切り欠き６７によって、第１基板５４の走査方向の両側に間隔をあけて形成されている。つまり、第１入力部５６と切り欠き６７は、走査方向に関して隣り合っている。第１入力部５６の複数の入力端子５８のうち、切り欠き６７と隣接する端の入力端子５８ａ（第１入力端子）は、ＦＦＣ４９から第１ドライバＩＣ５１ａに対してグランド信号を入力する端子である。第１出力バンプ６０と第１出力接点６２ａは、アクチュエータユニット３１の入力接点４３ａの列に対応して紙送り方向に所定間隔をあけて並べて配置されているとともに、この列が走査方向に５列並べて配置されている。
【００３２】
第１ドライバＩＣ５１ａは、複数の個別電極４２のそれぞれに対して駆動信号を供給するものである。ドライバＩＣ５１が供給する駆動信号は、電源電位とグランド電位の電位の切り替えによって生成されたパルス信号であり、このパルス信号の波形によってノズル３５から噴射される液滴径や噴射タイミングが異なる。また、この駆動信号は、ドライバＩＣ５１に後述するＦＦＣ４９から入力される波形選択信号（入力信号）に基づいて、パルス信号の電位の立ち上がりや立下りのタイミングが切り替えられて、パルス信号として生成されている。このように、ノズル３５から噴射される液滴径や噴射タイミングを異ならせるために、複数の個別電極４２に対してそれぞれ駆動信号が供給される。２つの第１ドライバＩＣ５１ａは、第１出力バンプ６０が形成された部分の紙送り方向の両側に配置されており、第１基板５４の紙送り方向に関する中心を境界として図６（ａ）の上下に区分された第１出力バンプ６０と、第１出力バンプ６０の列とこの列と隣接する貫通孔６６の間を引き回された第１配線６２を介してそれぞれ接続されている。
【００３３】
貫通孔６６は、紙送り方向に延在した矩形状をしており、第１出力バンプ６０の列と交互に走査方向に並べて配置されている。貫通孔６６の走査方向に関する幅は、第２ＦＰＣ５３に形成された後述する第２出力バンプ６１の走査方向に関する幅とほぼ同じ幅となっている。
【００３４】
図６（ｂ）に示すように、第２ＦＰＣ５３は、第２基板５５と、第２基板５５の紙送り方向両端の縁部に形成された複数の入力端子５８からなる２つの第２入力部５７と、第２基板５５の一方の面５５ａに形成された第２出力接点６３ａと、第２出力接点６３ａに一体的に接続された第２出力バンプ６１と、第２基板５５の一方の面５５ａにおいて、第２出力バンプ６１が形成された部分の紙送り方向の両側に配置された２つの第２ドライバＩＣ５１ｂ（第２駆動ＩＣ）と、第２基板５５の一方の面５５ａに形成され、第２出力接点６３ａと第２ドライバＩＣ５１ｂとを接続する第３配線６３と、第２基板５５の一方の面５５ａに形成され、第２ドライバＩＣ５１ｂと第２入力部５７とを接続する第４配線６５とを有している。第２出力バンプ６１は、アクチュエータユニット３１の入力接点４３ｂに接続されており、第２出力接点６３ａと入力接点４３ｂとを導通させる。そして、第２ＦＰＣ５３は、第２基板５５の一方の面５５ａが第１ＦＰＣ５２の第１基板５４の他方の面５４ｂ（図７（ａ）参照）と対向するように配置されている。
【００３５】
第２入力部５７は、第１ＦＰＣ５２と第２ＦＰＣ５３が重ねられたときに、第１基板５４の切り欠き６７と重なる、紙送り方向に関する縁部の走査方向中央に形成されている。第２入力部５７の複数の入力端子５８のうち、走査方向両端の入力端子５８ｂ（第２入力端子）は、ＦＦＣ４９から第２ドライバＩＣ５１ｂに対してグランド信号を入力する端子である。第２出力バンプ６１は、アクチュエータユニット３１の入力接点４３ｂの列に対応して紙送り方向に所定間隔をあけて並べて配置されているとともに、第１ＦＰＣ５２と第２ＦＰＣ５３が重ねられたときに、第１基板５４の貫通孔６６と重なるように配置され、この列が走査方向に５列並べて配置されている。
【００３６】
第２ドライバＩＣ５１ｂは、第１ＦＰＣ５２と第２ＦＰＣ５３が重ねられたときに、第１基板５４の切り欠き６７と重なる、第２出力バンプ６１が形成された部分の紙送り方向の両側に配置されており、第２基板５５の紙送り方向に関する中心を境界として図６（ｂ）の上下に区分された第２出力バンプ６１と、第２出力バンプ６１の列の間を引き回された第３配線６３を介してそれぞれ接続されている。
【００３７】
このような第１ＦＰＣ５２と第２ＦＰＣ５３の構成において、図５に示すように、第１ＦＰＣ５２の第１基板５４の他方の面５４ｂに第２ＦＰＣ５３の第２基板５５の一方の面５５ａが対向するように重ねられると、第２基板５５の一方の面５５ａに形成された第２出力バンプ６１は、第１基板５４に形成された貫通孔６６から第１基板５４の一方の面５４ａ側に露出している。そして、図７に示すように、第２基板５５の一方の面５５ａに形成された第２出力バンプ６１は、第１基板５４に形成された貫通孔６６から第１基板５４の一方の面５４ａ側に露出し、その頂点が第１出力バンプ６０の頂点と同一平面上に配置されている。
【００３８】
また、図５及び図７（ｂ）に示すように、第２基板５５の第２ドライバＩＣ５１ｂと第２入力部５７は、第１基板５４に形成された切り欠き６７から第１基板５４の一方の面５４ａ側に露出している。そして、第１基板５４に形成された第１入力部５６と、第２基板５５に形成された第２入力部５７は、同一面内において隙間なく走査方向に一列に並んでいる。つまり、第１入力部５６と第２入力部５７は、ＦＦＣ４９の信号供給部４９ａに対してひとまとまりの入力部とみなすことができる。また、第１基板５４に配置された第１ドライバＩＣ５１ａと第２基板５５に配置された第２ドライバＩＣ５１ｂは、紙送り方向に並んでいる。
【００３９】
また、第１ＦＰＣ５２と第２ＦＰＣ５３とを積層すると、第１ＦＰＣ５２の入力端子５８が形成される凸部分と、第２ＦＰＣ５３の第２ドライバＩＣ５１ｂの左右の部分とが重なるように構成されている。これにより、第１ＦＰＣ５２と第２ＦＰＣ５３を積層したときに、上述の左右の部分を糊しろのように用いることができるため、第１ＦＰＣ５２と第２ＦＰＣ５３の位置合わせが安定する。なお、第２ＦＰＣ５３は、入力端子５８の横の部分が、第１ＦＰＣ５２と重なるように構成されていてもよい。
【００４０】
次に、ＦＰＣユニット５０とアクチュエータユニット３１との接続について説明する。まず、ＦＰＣユニット５０の長手方向が紙送り方向と平行となるように、アクチュエータユニット３１の圧電層４１の上面に第１ＦＰＣ５２の第１基板５４の一方の面５４ａを対向させて配置する。このとき、第１基板５４の一方の面５４ａに形成された第１出力バンプ６０と、アクチュエータユニット３１の図２の左方から奇数列の入力接点４３ａを位置合わせするとともに、第１基板５４に形成された貫通孔６６から露出し、第２基板５５の一方の面５５ａに形成された第２出力バンプ６１と、アクチュエータユニット３１の図２の左方から偶数列の入力接点４３ｂを位置合わせして接続する。すると、図２に示すように、ＦＰＣユニット５０は、アクチュエータユニット３１の圧電層４１の上面に接続され、走査方向に関して、アクチュエータユニット３１の走査方向に関する幅と同様の幅を有し、紙送り方向に関してアクチュエータユニット３１の一方端部を越えてドライバＩＣ５１が配置された部分が延在することとなる。
【００４１】
そして、アクチュエータユニット３１と接続されたＦＰＣユニット５０は、同一平面内において走査方向に一列に並んだ第１入力部５６と第２入力部５７からなるひとまとまりの入力部がＦＦＣ４９の１つの信号供給部４９ａと接続される。そして、ＦＰＣユニット５０が上方に折り曲げられて、第１基板５４と第２基板５５のそれぞれ上方に配置されたドライバＩＣ５１の上面にヒートシンク４７が接触して配置される。
【００４２】
本実施形態におけるＦＰＣユニット５０によると、第１入力部５６から第１出力接点６２ａに接続される配線と第２入力部から第２出力接点６３ａに接続される配線を、第１基板５４に形成された第１配線６２と第２基板５５に形成された第３配線６３として、２つの基板にわけて引き回すことが可能になる。したがって、１基板当たりの配線数が少なくなり、入力部から出力接点への配線の引き回しを容易にすることができる。また、第１入力部５６と第２入力部５７を１列に並べていることで、ひとまとまりの入力部としてＦＦＣ４９の１つの信号供給部４９ａと接続できる。したがって、入力部の構造に簡単にすることができ、各入力部に対してＦＦＣ４９の信号供給部４９ａを迅速に接続することができる。
【００４３】
また、第２ドライバＩＣ５１ｂは、第１ＦＰＣ５２の第１基板５４に形成された切り欠き６７から露出しており、第１基板５４と第２基板５５の間に介在することがないため、第１基板５４と第２基板５５の積層方向に関する間隔を狭くすることができる。すると、例えば、各ＦＰＣの入力部の近傍にドライバＩＣ５１を配置したとしても、第１基板５４と第２基板５５を重ねて積層したときに、第１基板５４の第１入力部５６近傍の部分と第２基板５５の第２入力部５７近傍の部分との間の間隔が狭くなり、第１入力部５６と第２入力部５７を１列に並べやすくなる。
【００４４】
さらに、互いに異なる第１入力部５６と第２入力部５７に属し、走査方向に関して隣接する２つの入力端子５８ａ、５８ｂを両方とも一定電位を出力するグランド入力端子にしているため、第１基板５４と第２基板５５を重ねたときに、隣接する２つの入力端子５８ａ、５８ｂが重なってショートしても問題ない。また、第２基板５５に配置された第２ドライバＩＣ５１ｂは、第１基板５４に形成された切り欠き６７から露出することで、第１基板５４に配置された第１ドライバＩＣ５１ａと略同一平面に配置されることとなり、平坦な接触面を有する１つのヒートシンク４７で第１ドライバＩＣ５１ａと第２ドライバＩＣ５１ｂを同時に冷却することが可能となる。また、第１ＦＰＣ５２と第２ＦＰＣ５３とを重ねてから、アクチュエータユニット３１に接続するような場合において、第１ＦＰＣ５２と第２ＦＰＣ５３を重ねるときに、第２出力バンプ６１が貫通孔６６の位置決めとして作用するため、比較的簡単に、第１ＦＰＣ５２と第２ＦＰＣ５３とを重ねることができる。
【００４５】
次に、本実施の形態に種々の変更を加えた変形例について説明する。ただし、上述した実施形態と同様の構成を有するものについては、同じ符号を付して適宜その説明を省略する。
【００４６】
本実施形態においては、第１基板５４と第２基板５５に出力バンプを分けて形成して、第１基板５４と第２基板５５が重ねられたときに、第１基板５４に形成された貫通孔６６から第２出力バンプ６１を第１基板５４の一方の面５４ａ側に露出させて、圧電層４１に形成された入力接点４３ｂと接続する構成とすることで、各入力部から出力バンプへの配線を第１基板５４と第２基板５５に分けて引き回していたが、第１基板５４に全ての出力バンプを形成して、各入力部から基板側バンプ７０への配線を第１基板５４と第２基板５５に分けて引き回すことも可能である（変形例１）。以下、具体例について図８を参照して説明する。図８は、変形例１について説明する図であり、（ａ）は変形例１におけるＦＰＣユニットを下方から見た平面図であり、（ｂ）はＤ−Ｄ線断面図である。
【００４７】
図８（ａ）に示すように、ＦＰＣユニット１５０における第１ＦＰＣ１５２の第１基板１５４のアクチュエータユニット３１と対向する一方の面１５４ａには、アクチュエータユニット３１の入力接点４３ａ、４３ｂと接続される全ての出力バンプ１６０が形成されている。そして、複数の出力バンプ１６０のうち図８（ａ）の左方から偶数列の出力バンプ１６０ａについては、上述した実施形態における第１出力バンプ６０に相当し、第１出力バンプ６０と同様にして第１ドライバＩＣ５１ａを介して第１入力部５６と接続されている。以下、複数の出力バンプ１６０のうち図８（ａ）の左方から奇数列の出力バンプ１６０ｂと第２入力部５７との接続について説明する。
【００４８】
図８（ｂ）に示すように、第１基板１５４の他方の面１５４ｂには、平面視で出力バンプ１６０ｂと重なり、これらの出力バンプ１６０ｂとそれぞれスルーホール１７６を介して接続された第１接続バンプ１７７が形成されている。そして、第２ＦＰＣの一部を構成する第２基板１５５の一方の面１５５ｂには、第１基板１５４と第２基板１５５が重ねられたときに、平面視で第１接続バンプ１７７と重なっており、第１接続バンプ１７７と接続される第２接続バンプ１７８が形成されている。そして、第２接続バンプ１７８が、上述した実施形態における第２出力バンプ６１と同様に、第３配線６３に接続されている。第３配線６３から第２ドライバＩＣ５１ｂを介した第２入力部５７までの接続については、上述した実施形態と同様であるため、その説明を省略する。これによっても、上述した実施形態と同様の効果を奏する。また、アクチュエータユニット３１に接続される複数の出力バンプ１６０は全て第１基板１５４に形成されているため、上述した実施形態のように、第２基板５５に一部の第２出力バンプ６１が形成されている場合に比べて、接点高さが均一になりやすく、アクチュエータユニット３１の入力接点４３ａ、４３ｂとの接続不良を低減することができる。
【００４９】
さらに、本実施形態においては、第１基板５４に配置された第１ドライバＩＣ５１ａと第２基板５５に配置された第２ドライバＩＣ５１ｂが紙送り方向に並べて配置されており、それに対応して第１基板５４の紙送り方向の縁部の走査方向中央に切り欠き６７が形成されていたが、図９に示すように、第１基板２５４に配置された第１ドライバＩＣ５１ａと第２基板２５５に配置された第２ドライバＩＣ５１ｂは、走査方向に並べて配置されていてもよい（変形例２）。このとき、第２基板２５５に配置された第２ドライバＩＣ５１ｂを露出させるように、第１基板２５４の紙送り方向の縁部の走査方向一方側に偏って切り欠き２６７が形成される。また、第１基板２５４に形成された第１入力部２５６と第２基板２５５に形成された第２入力部２５７も、第１ドライバＩＣ５１ａと第２ドライバＩＣ５１ｂと同様に走査方向に一列に並んで配置される。
【００５０】
第１基板２５４に形成された配線と第２基板２５５に形成された配線に電流が流れると、その周囲に磁場が発生する。このとき、上述した実施形態のように、第１基板５４の第１出力バンプ６０が形成された領域と第２基板５５の第２出力バンプ６１が形成された領域が平面視で重なっており、第１ドライバＩＣ５１ａと第２ドライバＩＣ５１ｂが紙送り方向に並べて配置されていると、第１基板５４に形成された配線と第２基板５５に形成された配線とで紙送り方向に沿って平行になっている部分が多くなってしまい、この部分でクロストークが生じやすい。例えば、第１基板５４において第１ドライバＩＣ５１ａから第１出力バンプ６０に引き回される第１配線６２と、第２基板５５において第２ドライバＩＣ５１ｂから第２出力バンプ６１に引き回される第３配線６３の平行になっている部分でクロストークが生じやすい。そこで、第１ドライバＩＣ５１ａと第２ドライバＩＣ５１ｂを走査方向に並べて配置することで、第１基板２５４に形成された第１配線２６２と第２基板２５５に形成された第３配線２６３とにおいて交差する部分が増加し、紙送り方向に沿って平行になっている部分が減るため、クロストークを低減させることができる。
【００５１】
なお、クロストークを低減させる配線の引き回しとしては、上述した引き回しに限らず、あらゆる引き回しが挙げられる。例えば、上述した実施形態においては、ドライバＩＣ５１の紙送り方向に関する一方側を配線を介して入力部と接続される側、他方側を配線を介して出力バンプと接続される側としていたが、入力部と接続される一方側に他の配線と平行にならずに交差するように配線を引き回して出力バンプを接続してもよい。
【００５２】
さらに、本実施形態においては、第１ＦＰＣ５２と第２ＦＰＣ５３が重なった２層の場合について説明していたが、積層枚数は２層以上であってもよい。
【００５３】
また、本実施形態においては、第１基板５４と第２基板５５にそれぞれ形成された出力バンプは、紙送り方向に並べて配置されて列を形成しており、この列が走査方向に並べて配置されていたが、出力バンプの配置について規則性がなく、ランダムに配置されていてもよい。
【００５４】
また、本実施形態においては、複数の出力バンプの列のうち奇数列と偶数列で形成される基板を異ならせていたが、任意の分け方で複数の出力バンプを２枚の基板に形成してもよい。
【００５５】
さらに、本実施形態においては、第１基板５４に形成された貫通孔６６は、第２出力バンプ６１の列ごとに形成されていたが、第２出力バンプ６１ごとにそれぞれ形成されていてもよい。
【００５６】
また、本実施形態において、第１入力部５６と第２入力部５７は、同じ入力部に属する２つの入力端子の間隔と同じ間隔で１列に並んでいたが、１列に並んでいれば、第１入力部５６と第２入力部５７の間にそれ以上の間隔があってもよい。
【００５７】
さらに、本実施形態においては、第１基板５４に第２基板５５の第２入力部５７を露出させる切り欠き６７が形成されていたが、第２基板５５に第１基板５４の第１入力部５６を露出させる切り欠きが形成されていてもよい。
【００５８】
また、本実施形態においては、互いに異なる第１入力部５６と第２入力部５７に属し、走査方向に関して隣接する２つの入力端子５８ａ、５８ｂを、グランド入力端子としていたが、ドライバＩＣ５１に対して電源電位を入力する端子であってもよい。この場合においても、互いに異なる第１入力部５６と第２入力部５７に属し、走査方向に関して隣接する２つの入力端子５８ａ、５８ｂを一定電位を出力する電源入力端子にしているため、第１基板５４と第２基板５５を重ねたときに、隣接する２つの入力端子５８ａ、５８ｂが重なってショートしても問題ない。
【００５９】
また、本実施形態においては、第１出力バンプ６０は、第１基板５４の第１出力接点６２ａに一体的に形成され、第２出力バンプ６１は、第２基板５５の第２出力接点６３ａに形成されていたが、例えば、図１０に示すように、第１出力バンプ１６０は、アクチュエータ３１の入力接点４３ａに形成され、第２出力バンプ１６１は、アクチュエータユニット３１の入力接点４３ｂに形成されていてもよい。
【００６０】
以上説明した実施形態及びその変更形態は、インクジェットヘッドのアクチュエータ駆動用のＦＰＣユニットに本発明を適用したものであるが、本発明の適用対象はこのようなＦＰＣユニットには限られるものではない。例えば、ＰＣなどの電子機器の内部基板間を繋ぐＦＰＣなど、その用途にかかわらず、あらゆる装置に対して給電を行うＦＰＣユニットに本発明を適用することが可能である。
【符号の説明】
【００６１】
１  プリンタ
３１  アクチュエータユニット
５０  ＦＰＣユニット
５２  第１ＦＰＣ
５３  第２ＦＰＣ
５４  第１基板
５５  第２基板
５６  第１入力部
５７  第２入力部
６０  第１出力バンプ
６１  第２出力バンプ
６２ａ  第１出力接点
６３ａ  第２出力接点
６６  貫通孔
６７  切り欠き
【図１】
2011216599.tif 000003
【図２】
2011216599.tif 000004
【図３】
2011216599.tif 000005
【図４】
2011216599.tif 000006
【図５】
2011216599.tif 000007
【図６】
2011216599.tif 000008
【図７】
2011216599.tif 000009
【図８】
2011216599.tif 000010
【図９】
2011216599.tif 000011
【図１０】
2011216599.tif 000012